(57)【要約】【課題】魚信に敏感に反応し、優れた遠投機能を備えるとともに、仕掛け深さの距離がアタリウキセットよりも長い上、糸絡みを防ぐ釣り用ウキを提供する。【解決手段】釣り用ウキ１ａは、釣り糸８に取り付ける。釣り用ウキ１ａは、遠投ウキ１１と、釣り糸８を通すリング１２と、遠投ウキ１１とリング１２との間に取り付ける主要ウキ１３と、遠投ウキ１１、リング１２および主要ウキ１３を接続させる連結線とを備える。【選択図】図４
0003156513.tif 000002
【実用新案登録請求の範囲】
【請求項１】
釣り糸に取り付ける釣り用ウキであって、
遠投ウキと、
前記釣り糸を通すリングと、
前記遠投ウキと前記リングとの間に取り付ける主要ウキと、
前記遠投ウキ、前記リングおよび前記主要ウキを接続する連結線と、を備えること、
を特徴とする釣り用ウキ。
【請求項２】
前記遠投ウキと前記主要ウキとの間に取り付け、前記連結線を通す少なくとも１つの管体をさらに備えること、
を特徴とする請求項１に記載の釣り用ウキ。
【請求項３】
前記遠投ウキは、前記主要ウキよりも重いこと、
を特徴とする請求項１又は２に記載の釣り用ウキ。
【請求項４】
前記管体は複数であること、
を特徴とする請求項２又は３に記載の釣り用ウキ。
【請求項５】
前記リングはサルカンであること、
を特徴とする請求項１から４のいずれか一項に記載の釣り用ウキ。
【考案の詳細な説明】
【技術分野】
【０００１】
本考案は釣具に関し、特に、釣り用ウキに関する。
【背景技術】
【０００２】
ウキは軽いほど魚信に敏感に反応するが、軽すぎる場合、遠投を行うことが困難となる。この問題を解決するために、従来のアタリウキセットは、主要ウキ以外に遠投ウキを取り付けて遠投機能を高めていた。図１に示すように、アタリウキセット９は、主要ウキ９３、遠投ウキ９１、釣り針９６、中継ウキ９９、サルカン９７、９８、ウキ止め７４および釣り糸７１、７２、７３を含む。釣り糸７１および釣り糸７２は、サルカン９７に縛り付けられている。中継ウキ９９は、仕掛けの位置を示し、魚信（いわゆるアタリ）の有無を判断するために用いるとともに、主要ウキ９３と遠投ウキ９１とが絡まることを防ぐためにも用いる。
【０００３】
釣り針９６の水面下での距離は仕掛け深さである（即ち、図１の釣り針９６から主要ウキ９３までの距離に等しい。）。主要ウキ９３および中継ウキ９９が移動できる最大の範囲は、サルカン９７からサルカン９８までの間であるため、アタリウキセット９の仕掛け深さの距離は、釣り針９６からサルカン９７までの距離よりも大きくなることがない。この仕掛け深さの距離の限界は、アタリウキセット９が有する最大の欠点である上、中継ウキ９９が設けられているにもかかわらず、遠投ウキ９１と主要ウキ９３とが絡みやすかった。
【０００４】
そのため、従来の問題点を解決することができる釣り用ウキが求められていた。
【考案の概要】
【考案が解決しようとする課題】
【０００５】
本考案の目的は、魚信に敏感に反応し、優れた遠投機能を備えるとともに、仕掛け深さの距離が従来のアタリウキセットよりも長い釣り用ウキを提供することにある。また、本考案のもう一つの目的は、糸絡みを防ぐ釣り用ウキを提供することにある。
【課題を解決するための手段】
【０００６】
上述した課題を解決し、目的を達成するために、請求項１に記載の釣り用ウキは、釣り糸に取り付ける釣り用ウキであって、遠投ウキと、前記釣り糸を通すリングと、前記遠投ウキと前記リングとの間に取り付ける主要ウキと、前記遠投ウキ、前記リングおよび前記主要ウキを接続する連結線と、を備えること、を特徴とする。
【０００７】
また、請求項２に記載の釣り用ウキは、請求項１に記載の釣り用ウキにおいて、前記遠投ウキと前記主要ウキとの間に取り付け、前記連結線を通す少なくとも１つの管体をさらに備えること、を特徴とする。
【０００８】
また、請求項３に記載の釣り用ウキは、請求項１又は２に記載の釣り用ウキにおいて、前記遠投ウキは、前記主要ウキよりも重いこと、を特徴とする。
【０００９】
また、請求項４に記載の釣り用ウキは、請求項２又は３に記載の釣り用ウキにおいて、前記管体は複数であること、を特徴とする。
【００１０】
また、請求項５に記載の釣り用ウキは、請求項１から４のいずれか一項に記載の釣り用ウキにおいて、前記リングはサルカンであること、を特徴とする。
【考案の効果】
【００１１】
本考案の釣り用ウキは、魚信に敏感に反応し、優れた遠投機能を備えるとともに、仕掛け深さの距離が従来のアタリウキセットよりも長い上、糸絡みを防ぐことができる。
【図面の簡単な説明】
【００１２】
【図１】従来のアタリウキセットを示す模式図である。
【図２】本考案の第１実施形態による釣り用ウキを使用するときの状態を示す模式図である。
【図３】図２の部分拡大図である。
【図４】本考案の第２実施形態による釣り用ウキを使用するときの状態を示す模式図である。
【図５】図４の部分拡大図である。
【図６】本考案の第３実施形態による釣り用ウキを示す部分拡大図である。
【考案を実施するための最良の形態】
【００１３】
以下に添付図面を参照して、この考案に係る釣り用ウキの各実施の形態を詳細に説明する。
【００１４】
（第１実施形態）
図２および図３を同時に参照する。図２は、本考案の第１実施形態による釣り用ウキを使用するときの状態を示す模式図である。図３は、図２の部分拡大図である。釣り用ウキ１は、ユーザにより釣り糸８に取り付けられる。第１実施形態の釣り用ウキ１は、遠投ウキ１１、リング１２、主要ウキ１３、連結線１４および少なくとも１つの管体１５を含む。遠投ウキ１１は、主要ウキ１３より重い。図３に示すように、主要ウキ１３は、遠投ウキ１１とリング１２との間に取り付けられ、遠投ウキ１１、リング１２および主要ウキ１３は、連結線１４により互いに接続されている。少なくとも１つの管体１５は、遠投ウキ１１と主要ウキ１３との間に取り付けられ、連結線１４が通されている。管体１５は、プラスチック材料などからなり、遠投ウキ１１と主要ウキ１３とが絡まることを防ぐために用いる。図２に示すように、釣り糸８には、釣り用ウキ１、釣り針１６、サルカン１８およびウキ止め２４が取り付けられている。リング１２は、釣り糸８を貫設させることが可能なサルカン１２ａなどである。釣り糸８は、サルカン１２ａに縛られずに貫設されているため、釣り用ウキ１を使用する際、サルカン１２ａが釣り糸８上で移動できる。そのため、釣り用ウキ１が移動できる範囲はサルカン１８からウキ止め２４までの間である。図２に示すように、仕掛け深さの最大距離は、釣り針１６からウキ止め２４までの距離に等しい。
【００１５】
（第２実施形態）
図４および図５を同時に参照する。図４は、本考案の第２実施形態による釣り用ウキを使用するときの状態を示す模式図である。図５は、図４の部分拡大図である。図４および図５に示すように、第２実施形態は、釣り用ウキ１ａが複数の管体１５を含む点が第１実施形態と異なる。第２実施形態では、遠投ウキ１１と主要ウキ１３との間の連結線１４を、各管体１５の間で曲げることができる。なお、この短い管体１５は複数用いてもよい。これにより、連結線１４が曲げられても管体１５が折れて損壊することはない。さらに、遠投ウキ１１、主要ウキ１３および複数の管体１５が一列に連なっているため、釣り用ウキ１ａ自体を目印として用いることができ、釣りをする際のウキの視認性が高い。
【００１６】
本考案の主要ウキ１３の形状は、図４または図５に示すような球形状に限定されるわけではなく、ユーザの必要に応じて変えることができる。例えば、図６に示すように、第３実施形態では、釣り用ウキ１ｂの主要ウキ１３ｂの形状を長尺状にしてもよい。
【００１７】
上述の実施形態１〜３から分かるように、本考案の釣り用ウキ１、１ａ、１ｂは、従来のアタリウキセット９と同様に遠投ウキ１１を利用して遠投を行うことができ、従来のアタリウキセット９よりも仕掛け深さの距離が大きく、管体１５を用いて主要ウキ１３、１３ｂと遠投ウキ１１とが絡まることを防ぐことができる。
【００１８】
当該技術分野の当業者が実施できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１９】
１、１ａ、１ｂ  釣り用ウキ
８、７１、７２、７３  釣り糸
９  アタリウキセット
１１、９１  遠投ウキ
１２  リング
１２ａ、１８、９７、９８  サルカン
１３、１３ｂ、９３  主要ウキ
１４  連結線
１５  管体
１６、９６  釣り針
２４、７４  ウキ止め
９９  中継ウキ
【図１】
0003156513.tif 000003
【図２】
0003156513.tif 000004
【図３】
0003156513.tif 000005
【図４】
0003156513.tif 000006
【図５】
0003156513.tif 000007
【図６】
0003156513.tif 000008